(57)【要約】【課題】ハンドオーバ元セルを管理する無線基地局がハンドオーバ先セルのＣＳＧ-ＩＤ及びＡｃｃｅｓｓ  Ｍｏｄｅを考慮してハンドオーバの実現方法を決定する。【解決手段】本発明に係る移動通信方法は、無線基地局ＨｅＮＢ＃１が、無線基地局ＨｅＮＢ＃２との間でＸ２コネクションを確立する際に、無線基地局ＨｅＮＢ＃２に対して無線基地局ＨｅＮＢ＃１配下のセルのＣＳＧ-ＩＤ及びＡｃｃｅｓｓ  Ｍｏｄｅを通知する工程と、無線基地局ＨｅＮＢ＃２が、無線基地局ＨｅＮＢ＃１配下のセルのＣＳＧ-ＩＤ及びＡｃｃｅｓｓ  Ｍｏｄｅを管理し、管理している無線基地局ＨｅＮＢ＃１配下のセルのＣＳＧ-ＩＤ及びＡｃｃｅｓｓ  Ｍｏｄｅに基づいて移動局ＵＥの無線基地局ＨｅＮＢ＃２配下のセルから無線基地局ＨｅＮＢ＃１配下のセルへのハンドオーバの実施方法を決定する工程とを有する。【選択図】図３
2011087089.tif 000002
【特許請求の範囲】
【請求項１】
第１無線基地局が、第２無線基地局との間でコネクションを確立する際に、該第２無線基地局に対して、該第１無線基地局配下のセルの登録グループ識別情報及びアクセスモードを通知する工程と、
前記第２無線基地局が、通知された前記第１無線基地局配下のセルの登録グループ識別情報及びアクセスモードを管理する工程と、
前記第２無線基地局が、管理している前記第１無線基地局配下のセルの登録グループ識別情報及びアクセスモードに基づいて、移動局の該第２無線基地局配下のセルから該第１無線基地局配下のセルへのハンドオーバの実施方法を決定する工程とを有することを特徴とする移動通信方法。
【請求項２】
第１無線基地局が、該第１無線基地局配下のセルの登録グループ識別情報及びアクセスモードの少なくとも１つを変更した場合に、第２無線基地局に対して、変更された該第１無線基地局配下のセルの登録グループ識別情報及びアクセスモードの少なくとも１つを含む構成変更信号を送信する工程と、
前記第２無線基地局が、受信した前記構成変更信号に含まれる前記第１無線基地局配下のセルの登録グループ識別情報及びアクセスモードを管理する工程と、
前記第２無線基地局が、管理している最新の前記第１無線基地局配下のセルの登録グループ識別情報及びアクセスモードに基づいて、移動局の該第２無線基地局配下のセルから該第１無線基地局配下のセルへのハンドオーバの実施方法を決定する工程とを有することを特徴とする移動通信方法。
【請求項３】
無線基地局であって、
周辺無線基地局との間でコネクションを確立する際に、該周辺無線基地局から、該周辺無線基地局配下のセルの登録グループ識別情報及びアクセスモードを取得するように構成されている取得部と、
前記取得部によって取得された前記周辺無線基地局配下のセルの登録グループ識別情報及びアクセスモードを管理するように構成されている管理部と、
前記管理部によって管理されている前記周辺無線基地局配下のセルの登録グループ識別情報及びアクセスモードに基づいて、移動局の前記無線基地局配下のセルから該周辺無線基地局配下のセルへのハンドオーバの実施方法を決定するように構成されているハンドオーバ処理部とを具備することを特徴とする無線基地局。
【請求項４】
無線基地局であって、
周辺無線基地局によって送信された構成変更信号に含まれる該周辺無線基地局配下のセルの登録グループ識別情報及びアクセスモードを取得するように構成されている取得部と、
前記取得部によって取得された前記周辺無線基地局配下のセルの登録グループ識別情報及びアクセスモードを管理するように構成されている管理部と、
前記管理部によって管理されている前記周辺無線基地局配下のセルの登録グループ識別情報及びアクセスモードに基づいて、移動局の前記無線基地局配下のセルから該周辺無線基地局配下のセルへのハンドオーバの実施方法を決定するように構成されているハンドオーバ処理部とを具備することを特徴とする無線基地局。
【請求項５】
前記管理部は、前記周辺無線基地局配下のセルの登録グループ識別情報が前記無線基地局配下のセルの登録グループ識別情報と同じであるか否かについて示す情報を管理するように構成されていることを特徴とする請求項３又は４に記載の無線基地局。
【請求項６】
前記ハンドオーバ処理部は、前記周辺無線基地局配下のセルの登録グループ識別情報と前記無線基地局配下のセルの登録グループ識別情報とが同じであり、該周辺無線基地局配下のセルのアクセスモードが全ての移動局に対して差別化することなくアクセスを許容するアクセスモードでない場合、前記ハンドオーバの実施方法を、該無線基地局と該周辺無線基地局との間のインターフェイスを介したハンドオーバとするように構成されていることを特徴とする請求項３又は４に記載の無線基地局。
【請求項７】
前記ハンドオーバ処理部は、前記周辺無線基地局配下のセルの登録グループ識別情報と前記無線基地局配下のセルの登録グループ識別情報とが異なり、該周辺無線基地局配下のセルのアクセスモードが全ての移動局に対して差別化することなくアクセスを許容するアクセスモードでない場合、前記ハンドオーバの実施方法を、該無線基地局と交換局との間のインターフェイス及び該交換局と該周辺無線基地局との間のインターフェイスを介したハンドオーバとするように構成されていることを特徴とする請求項３又は４に記載の無線基地局。
【発明の詳細な説明】
【技術分野】
【０００１】
本発明は、移動通信方法及び無線基地局に関する。
【背景技術】
【０００２】
ＬＴＥ（Ｌｏｎｇ  Ｔｅｒｍ  Ｅｖｏｌｕｔｉｏｎ）方式の移動通信システムでは、ハンドオーバ元セルを管理する無線基地局ＨｅＮＢ＃１又はＨｅＮＢ＃３が、移動局ＵＥのハンドオーバの実現方法として、Ｓ１ハンドオーバを行うことのみが規定されている。
【０００３】
しかし、Ｘ２ハンドオーバを行うことができる条件では、Ｘ２ハンドオーバも行うことができる場合がある。
【０００４】
例えば、無線基地局ＨｅＮＢの所有者によって特定加入者の移動局のみの接続を許可するように運用される「Ｃｌｏｓｅｄ  Ｍｏｄｅ」で運用されているセル間であって、かつ、かかる特定加入者を特定する識別子である「Ｃｌｏｓｅｄ  Ｓｕｂｓｃｒｉｂｅｒ  Ｇｒｏｕｐ ＩＤ（ＣＳＧ-ＩＤ）」が同じである無線基地局ＨｅＮＢ配下のセル間において、Ｘ２ハンドオーバを行うことができる。
【０００５】
或いは、接続可能な移動局を限定しない「Ｏｐｅｎ  Ｍｏｄｅ」で運用されている無線基地局ＨｅＮＢ配下のセル間において、Ｘ２ハンドオーバを行うことができる。
【０００６】
また、「Ｃｌｏｓｅｄ  Ｍｏｄｅ」及び「Ｏｐｅｎ  Ｍｏｄｅ」の運用を同時に行い、特定のＣＳＧに属する移動局と特定のＣＳＧに属さない移動局との間で異なる優先制御を行うＡｃｃｅｓｓ  Ｍｏｄｅである「Ｈｙｂｒｉｄ  Ｍｏｄｅ」で運用されている無線基地局ＨｅＮＢ配下のセル間であって、「Ｃｌｏｓｅｄ  Ｍｏｄｅ」で運用されている同一のＣＳＧを有する無線基地局配下のセル間、或いは、「Ｏｐｅｎ  Ｍｏｄｅ」で運用されている無線基地局ＨｅＮＢ配下のセル間において、Ｘ２ハンドオーバを行うことができる。
【先行技術文献】
【非特許文献】
【０００７】
【非特許文献１】３ＧＰＰ  ＴＳ３６.３００（Ｖ９.０.０）、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ-ＵＴＲＡ）  ａｎｄ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ-ＵＴＲＡＮ）  Ｐｈｙｓｉｃａｌ  Ｃｈａｎｎｅｌｓ」、２００９年６月
【非特許文献２】３ＧＰＰ  ＴＲ３.０２０（Ｖ０.９.０）、「Ｈｏｍｅ  （ｅ）Ｎｏｄｅ  Ｂ；  Ｎｅｔｗｏｒｋ  ａｓｐｅｃｔｓ」、２００８年９月
【非特許文献３】３ＧＰＰ  ＴＳ３６.４２３（Ｖ９.０.０）、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ-ＵＴＲＡＮ）；Ｘ２  ａｐｐｌｉｃａｔｉｏｎ  ｐｒｏｔｏｃｏｌ  （Ｘ２ＡＰ）」、２００９年９月
【発明の概要】
【発明が解決しようとする課題】
【０００８】
しかしながら、既存のＬＴＥ方式の移動通信システムでは、各無線基地局ＨｅＮＢは、周辺無線基地局ＨｅＮＢ配下のセルのＣＳＧ-ＩＤ（Ｃｌｏｓｅｄ  Ｓｕｂｓｃｒｉｂｅｒ  Ｇｒｏｕｐ）及びＡｃｃｅｓｓ  Ｍｏｄｅを管理していないため、図１２に示すように、無線基地局ＨｅＮＢ＃１又はＨｅＮＢ＃３が、移動局ＵＥの無線基地局ＨｅＮＢ＃１又はＨｅＮＢ＃３配下のセルから無線基地局ＨｅＮＢ＃２配下のセルへのハンドオーバの実現方法（Ｘ２ハンドオーバ又はＳ１ハンドオーバ）を決定する際に、無線基地局ＨｅＮＢ＃２配下のセルのＣＳＧ-ＩＤ及びＡｃｃｅｓｓ  Ｍｏｄｅを考慮することができないという問題点があった。
【０００９】
そこで、本発明は、上述の課題に鑑みてなされたものであり、ハンドオーバ元セルを管理する無線基地局がハンドオーバ先セルのＣＳＧ-ＩＤ及びＡｃｃｅｓｓ  Ｍｏｄｅを考慮してハンドオーバの実現方法を決定することができる移動通信方法及び無線基地局を提供することを目的とする。
【課題を解決するための手段】
【００１０】
本発明の第１の特徴は、移動通信方法であって、第１無線基地局が、第２無線基地局との間でコネクションを確立する際に、該第２無線基地局に対して、該第１無線基地局配下のセルの登録グループ識別情報及びアクセスモードを通知する工程と、前記第２無線基地局が、通知された前記第１無線基地局配下のセルの登録グループ識別情報及びアクセスモードを管理する工程と、前記第２無線基地局が、管理している前記第１無線基地局配下のセルの登録グループ識別情報及びアクセスモードに基づいて、移動局の該第２無線基地局配下のセルから該第１無線基地局配下のセルへのハンドオーバの実施方法を決定する工程とを有することを要旨とする。
【００１１】
本発明の第２の特徴は、移動通信方法であって、第１無線基地局が、該第１無線基地局配下のセルの登録グループ識別情報及びアクセスモードの少なくとも１つを変更した場合に、第２無線基地局に対して、変更された該第１無線基地局配下のセルの登録グループ識別情報及びアクセスモードの少なくとも１つを含む構成変更信号を送信する工程と、前記第２無線基地局が、受信した前記構成変更信号に含まれる前記第１無線基地局配下のセルの登録グループ識別情報及びアクセスモードを管理する工程と、前記第２無線基地局が、管理している最新の前記第１無線基地局配下のセルの登録グループ識別情報及びアクセスモードに基づいて、移動局の該第２無線基地局配下のセルから該第１無線基地局配下のセルへのハンドオーバの実施方法を決定する工程とを有することを要旨とする。
【００１２】
本発明の第３の特徴は、無線基地局であって、周辺無線基地局との間でコネクションを確立する際に、該周辺無線基地局から、該周辺無線基地局配下のセルの登録グループ識別情報及びアクセスモードを取得するように構成されている取得部と、前記取得部によって取得された前記周辺無線基地局配下のセルの登録グループ識別情報及びアクセスモードを管理するように構成されている管理部と、前記管理部によって管理されている前記周辺無線基地局配下のセルの登録グループ識別情報及びアクセスモードに基づいて、移動局の前記無線基地局配下のセルから該周辺無線基地局配下のセルへのハンドオーバの実施方法を決定するように構成されているハンドオーバ処理部とを具備することを要旨とする。
【００１３】
本発明の第４の特徴は、無線基地局であって、周辺無線基地局によって送信された構成変更信号に含まれる該周辺無線基地局配下のセルの登録グループ識別情報及びアクセスモードを取得するように構成されている取得部と、前記取得部によって取得された前記周辺無線基地局配下のセルの登録グループ識別情報及びアクセスモードを管理するように構成されている管理部と、前記管理部によって管理されている前記周辺無線基地局配下のセルの登録グループ識別情報及びアクセスモードに基づいて、移動局の前記無線基地局配下のセルから該周辺無線基地局配下のセルへのハンドオーバの実施方法を決定するように構成されているハンドオーバ処理部とを具備することを要旨とする。
【発明の効果】
【００１４】
以上説明したように、本発明によれば、ハンドオーバ元セルを管理する無線基地局がハンドオーバ先セルのＣＳＧ-ＩＤ及びＡｃｃｅｓｓ  Ｍｏｄｅを考慮してハンドオーバの実現方法を決定することができる移動通信方法及び無線基地局を提供することができる。
【図面の簡単な説明】
【００１５】
【図１】本発明の第１の実施形態に係る移動通信システムの全体構成図である。
【図２】本発明の第１の実施形態に係る無線基地局の機能ブロック図である。
【図３】本発明の第１の実施形態に係る無線基地局がＮＲＴ生成する様子を説明するための図である。
【図４】本発明の第１の実施形態に係る無線基地局がＮＲＴ生成する様子を説明するための図である。
【図５】本発明の第１の実施形態に係る移動通信システムの動作を説明するための図である。
【図６】本発明の第１の実施形態に係る移動通信システムで用いられる「Ｘ２  ｓｅｔｕｐ  ｒｅｑｕｅｓｔ」メッセージに含まれる情報要素の一例を示す図である。
【図７】本発明の第１の実施形態に係る移動通信システムで用いられる「Ｘ２  ｓｅｔｕｐ  ｒｅｑｕｅｓｔ」メッセージに含まれる情報要素「Ｓｅｒｖｅｄ  Ｃｅｌｌ  Ｉｎｆｏｒｍａｔｉｏｎ」内の情報要素の一例を示す図である。
【図８】本発明の第１の実施形態に係る移動通信システムで用いられる「Ｘ２  ｓｅｔｕｐ  ｒｅｓｐｏｎｓｅ」メッセージに含まれる情報要素の一例を示す図である。
【図９】本発明の第１の実施形態に係る移動通信システムの動作を説明するための図である。
【図１０】本発明の第１の実施形態に係る移動通信システムの動作を説明するための図である。
【図１１】本発明の第１の実施形態に係る移動通信システムで用いられる「ｅＮＢ  Ｃｏｎｆｉｇｕｒａｔｉｏｎ  Ｕｐｄａｔｅ」メッセージに含まれる情報要素の一例を示す図である。
【図１２】従来の移動通信システムの全体構成図である。
【発明を実施するための形態】
【００１６】
（本発明の第１の実施形態に係る移動通信システムの構成）
図１及び図２を参照して、本発明の第１の実施形態に係る移動通信システムの構成について説明する。
【００１７】
本実施形態に係る移動通信システムは、ＬＴＥ方式の移動通信システムであって、図１に示すように、交換局ＭＭＥ（Ｍｏｂｉｌｉｔｙ  Ｍａｎａｇｅｍｅｎｔ  Ｅｎｔｉｔｙ）と、複数の無線基地局ＨｅＮＢ＃１乃至＃４とを具備している。
【００１８】
ここで、各無線基地局ＨｅＮＢ同士は、Ｘ２インターフェイスを介したＸ２コネクションが確立可能であり、各無線基地局ＨｅＮＢ＃１乃至＃４と交換局ＭＭＥとの間は、Ｓ１インターフェイスを介したＳ１コネクションが確立可能である。
【００１９】
交換局ＭＭＥは、図１に示すように、「ＵＥ  ｓｕｂｓｃｒｉｐｔｉｏｎ  ｉｎｆｏ」を管理している。「ＵＥ  ｓｕｂｓｃｒｉｐｔｉｏｎ  ｉｎｆｏ」には、各無線基地局ＨｅＮＢ＃１乃至＃４における登録移動局のグループの識別情報（すなわち、ＣＳＧ-ＩＤ）のリストを示す「Ａｌｌｏｗｅｄ  ＣＳＧ-ＩＤ」が含まれている。
【００２０】
交換局ＭＭＥは、移動局ＵＥのＳ１ハンドオーバが行われる際に、かかる「Ａｌｌｏｗｅｄ  ＣＳＧ-ＩＤ」を参照して、移動局ＵＥのハンドオーバ先セルに対する「Ａｃｃｅｓｓ  ｃｈｅｃｋ」を行うように構成されている。
【００２１】
また、移動局ＵＥは、図１に示すように、移動局ＵＥのサービングセルを管理する無線基地局ＨｅＮＢ（例えば、無線基地局ＨｅＮＢ＃１やＨｅＮＢ＃３）に対して、かかる無線基地局ＨｅＮＢによって指示されている報告条件が満たされた場合に、かかる無線基地局ＨｅＮＢによって指示されている測定条件が満たされている周辺セルを特定する「Ｔａｒｇｅｔ  ＰＣＩ/ＥＣＧＩ」及び当該周辺セルに対する「Ａｃｃｅｓｓ  ｃｈｅｃｋ」の結果を示す「Ｐｒｅｌｉｍｉｎａｒｙ  Ａｃｃｅｓｓ  ｃｈｅｃｋ」等を含む「Ｍｅｓｕｒｅｍｅｎｔ  Ｒｅｐｏｒｔ（測定報告）」を送信するように構成されている。
【００２２】
図２に示すように、各無線基地局ＨｅＮＢ＃１乃至＃４（以下、総称して、無線基地局ＨｅＮＢと示す）は、Ｓ１コネクション制御部１１と、Ｘ２コネクション制御部１２と、ＮＲＴ（Ｎｅｉｇｈｂｏｒ  Ｒｅｌａｔｉｏｎ  Ｔａｂｌｅ）管理部１３と、ハンドオーバ処理部１４とを具備している。
【００２３】
Ｓ１コネクション制御部１１は、交換局ＭＭＥとの間のＳ１コネクションに関する制御を行うように構成されている。例えば、Ｓ１コネクション制御部１１は、交換局ＭＭＥとの間のＳ１コネクションの確立処理、変更処理、開放処理を行うように構成されている。
【００２４】
Ｘ２コネクション制御部１２は、周辺無線基地局との間のＸ２コネクションに関する制御を行うように構成されている。例えば、Ｘ２コネクション制御部１２は、周辺無線基地局との間のＸ２コネクションの確立処理、変更処理、開放処理を行うように構成されている。
【００２５】
ここで、Ｘ２コネクション制御部１２は、周辺無線基地局との間でＸ２コネクションを確立する際に、周辺無線基地局から、周辺無線基地局配下のセルのＣＳＧ-ＩＤ及びＡｃｃｅｓｓ  Ｍｏｄｅを取得するように構成されていてもよい。
【００２６】
また、Ｘ２コネクション制御部１２は、周辺無線基地局によって送信された「ｅＮＢ  Ｃｏｎｆｉｇｕｒａｔｉｏｎ  Ｕｐｄａｔｅ」に含まれる周辺無線基地局配下のセルのＣＳＧ-ＩＤ及びＡｃｃｅｓｓ  Ｍｏｄｅを取得するように構成されていてもよい。
【００２７】
ここで、「Ａｃｃｅｓｓ  Ｍｏｄｅ」としては、「Ｏｐｅｎ」、「Ｈｙｂｒｉｄ」又は「Ｃｌｏｓｅｄ」の３種類が設定可能である。
【００２８】
「Ｏｐｅｎ」は、全ての移動局ＵＥに対して差別化することなくアクセスを許容するものであり、「Ｃｌｏｓｅｄ」は、登録移動局に対してのみアクセスを許容するものであり、「Ｈｙｂｒｉｄ」は、登録移動局と非登録移動局との間でサービス品質（ＱｏＳ：Ｑｕａｌｉｔｙ ｏｆ Ｓｅｒｖｉｃｅ）を差別化してアクセスを許容するものである。
【００２９】
ＮＲＴ管理部１３は、Ｘ２コネクション制御部１２によって取得された周辺無線基地局配下のセルのＣＳＧ-ＩＤ及びＡｃｃｅｓｓ  Ｍｏｄｅについて、ＮＲＴ内で管理するように構成されている。
【００３０】
例えば、ＮＲＴ管理部１３は、図３に示すように、Ｘ２コネクション制御部１２によって取得された周辺無線基地局配下のセルのＣＳＧ-ＩＤ及びＡｃｃｅｓｓ  Ｍｏｄｅを、そのままＮＲＴに登録するように構成されていてもよい。
【００３１】
或いは、ＮＲＴ管理部１３は、図４に示すように、Ｘ２コネクション制御部１２によって取得された周辺無線基地局配下のセルのＡｃｃｅｓｓ  Ｍｏｄｅを、そのままＮＲＴに登録し、周辺無線基地局配下のセルのＣＳＧ-ＩＤが無線基地局ＨｅＮＢ配下のセルのＣＳＧ-ＩＤと同じであるか否かについて示す情報、例えば、１ビットからなる「Ｓａｍｅ  ＣＳＧ-ＩＤ」フラグを設定するように構成されていてもよい。
【００３２】
ここで、ＮＲＴ管理部１３は、周辺無線基地局配下のセルのＣＳＧ-ＩＤが無線基地局ＨｅＮＢ配下のセルのＣＳＧ-ＩＤと同じである場合に「Ｓａｍｅ  ＣＳＧ-ＩＤ」フラグに「１」を設定し、周辺無線基地局配下のセルのＣＳＧ-ＩＤが無線基地局ＨｅＮＢ配下のセルのＣＳＧ-ＩＤと異なる場合に「Ｓａｍｅ  ＣＳＧ-ＩＤ」フラグに「０」を設定するように構成されていてもよい。
【００３３】
ハンドオーバ処理部１４は、移動局ＵＥから送信された「Ｍｅａｓｕｒｅｍｅｎｔ  Ｒｅｐｏｒｔ」に基づいて、移動局ＵＥの無線基地局ＨｅＮＢ配下のセルから周辺無線基地局へのハンドオーバを行うべきか否かについて判定し、かかるハンドオーバに関する処理を行うように構成されている。
【００３４】
ここで、ハンドオーバ処理部１４は、ＮＲＴ管理部１３によって管理されている周辺無線基地局配下のセルのＣＳＧ-ＩＤ及びＡｃｃｅｓｓ  Ｍｏｄｅに基づいて、移動局ＵＥの無線基地局ＨｅＮＢ配下のセルから周辺無線基地局配下のセルへのハンドオーバの実施方法を決定するように構成されている。
【００３５】
例えば、ハンドオーバ処理部１４は、周辺無線基地局配下のセルのＣＳＧ-ＩＤと無線基地局ＨｅＮＢ配下のセルのＣＳＧ-ＩＤとが同じであり、周辺無線基地局配下のセルのＡｃｃｅｓｓ  Ｍｏｄｅが「Ｏｐｅｎ」でない場合（すなわち、「Ｃｌｏｓｅｄ」又は「Ｈｙｂｒｉｄ」である場合）、上述のハンドオーバの実施方法を「Ｘ２ハンドオーバ」とするように構成されていてもよい。
【００３６】
また、ハンドオーバ処理部１４は、周辺無線基地局配下のセルのＣＳＧ-ＩＤと無線基地局ＨｅＮＢ配下のセルのＣＳＧ-ＩＤとが異なり、周辺無線基地局配下のセルのＡｃｃｅｓｓ  Ｍｏｄｅが「Ｏｐｅｎ」でない場合（すなわち、「Ｃｌｏｓｅｄ」又は「Ｈｙｂｒｉｄ」である場合）、上述のハンドオーバの実施方法を「Ｓ１ハンドオーバ」とするように構成されていてもよい。
【００３７】
さらに、ハンドオーバ処理部１４は、周辺無線基地局配下のセルのＣＳＧ-ＩＤに移動局ＵＥのＣＳＧ-ＩＤが含まれておらず、周辺無線基地局配下のセルのＡｃｃｅｓｓ  Ｍｏｄｅが「Ｃｌｏｓｅｄ」である場合、上述のハンドオーバの実施方法を「ハンドオーバ不可」とするように構成されていてもよい。
【００３８】
また、ハンドオーバ処理部１４は、周辺無線基地局配下のセルのＣＳＧ-ＩＤに移動局ＵＥのＣＳＧ-ＩＤが含まれておらず、周辺無線基地局配下のセルのＡｃｃｅｓｓ  Ｍｏｄｅが「Ｈｙｂｒｉｄ」である場合、上述のハンドオーバの実施方法を「非登録移動局に対するＸ２ハンドオーバ」とするように構成されていてもよい。
【００３９】
また、ハンドオーバ処理部１４は、周辺無線基地局配下のセルのＡｃｃｅｓｓ  Ｍｏｄｅが「Ｏｐｅｎ」である場合、上述のハンドオーバの実施方法を「Ｘ２ハンドオーバ」とするように構成されていてもよい。
【００４０】
（本発明の第１の実施形態に係る移動通信システムの動作）
図５乃至図１１を参照して、本発明の第１の実施形態に係る移動通信システムの動作について説明する。
【００４１】
第１に、図５を参照して、本発明の第１の実施形態に係る移動通信システムにおいて無線基地局ＨｅＮＢ＃１が起動する場合の動作について説明する。
【００４２】
図５に示すように、無線基地局ＨｅＮＢ＃１が、ステップＳ１０１において、起動すると、ステップＳ１０２において、交換局ＭＭＥとの間で、Ｓ１コネクションを確立する。
【００４３】
ステップＳ１０３において、無線基地局ＨｅＮＢ＃１は、周辺無線基地局である無線基地局ＨｅＮＢ＃２に対して、無線基地局ＨｅＮＢ＃１配下のセルのＣＳＧ-ＩＤ（＝＃３０）及びＡｃｃｅｓｓ  Ｍｏｄｅを含む「Ｘ２  ｓｅｔｕｐ  ｒｅｑｕｅｓｔメッセージ」を送信する。
【００４４】
例えば、無線基地局ＨｅＮＢ＃１は、無線基地局ＨｅＮＢ＃１配下のセルのＣＳＧ-ＩＤ（＝＃３０）を、「Ｘ２  ｓｅｔｕｐ  ｒｅｑｕｅｓｔメッセージ」内の情報要素「Ｓｅｒｖｅｄ  Ｃｅｌｌ  Ｉｎｆｏｒｍａｔｉｏｎ（図６参照）」内の情報要素「ＣＳＧ  ＩＤ（図７参照）」によって通知してもよい。
【００４５】
また、無線基地局ＨｅＮＢ＃１は、無線基地局ＨｅＮＢ＃１配下のセルのＡｃｃｅｓｓ  Ｍｏｄｅを、「Ｘ２  ｓｅｔｕｐ  ｒｅｑｕｅｓｔメッセージ」内の情報要素「Ｓｅｒｖｅｄ  Ｃｅｌｌ  Ｉｎｆｏｒｍａｔｉｏｎ（図６参照）」内の情報要素「Ｃｅｌｌ  Ａｃｃｅｓｓ  Ｍｏｄｅ（図７参照）」によって通知してもよい。
【００４６】
ステップＳ１０４において、無線基地局ＨｅＮＢ＃２は、無線基地局ＨｅＮＢ＃１に対して、無線基地局ＨｅＮＢ＃２配下のセルのＣＳＧ-ＩＤ（＝＃２０）及びＡｃｃｅｓｓ  Ｍｏｄｅを含む「Ｘ２  ｓｅｔｕｐ  ｒｅｓｐｏｎｓｅメッセージ」を送信する。
【００４７】
例えば、無線基地局ＨｅＮＢ＃２は、無線基地局ＨｅＮＢ＃２配下のセルのＣＳＧ-ＩＤ（＝＃２０）を、「Ｘ２  ｓｅｔｕｐ  ｒｅｓｐｏｎｓｅメッセージ」内の情報要素「Ｓｅｒｖｅｄ  Ｃｅｌｌ  Ｉｎｆｏｒｍａｔｉｏｎ（図８参照）」内の情報要素「ＣＳＧ  ＩＤ（図７参照）」によって通知してもよい。
【００４８】
また、無線基地局ＨｅＮＢ＃２は、無線基地局ＨｅＮＢ＃２配下のセルのＡｃｃｅｓｓ  Ｍｏｄｅを、「Ｘ２  ｓｅｔｕｐ  ｒｅｓｐｏｎｓｅメッセージ」内の情報要素「Ｓｅｒｖｅｄ  Ｃｅｌｌ  Ｉｎｆｏｒｍａｔｉｏｎ（図８参照）」内の情報要素「Ｃｅｌｌ  Ａｃｃｅｓｓ  Ｍｏｄｅ（図７参照）」によって通知してもよい。
【００４９】
第２に、図９を参照して、本発明の第１の実施形態に係る移動通信システムにおいて無線基地局ＨｅＮＢ＃１が起動する場合の別の動作について説明する。
【００５０】
図９に示すように、無線基地局ＨｅＮＢ＃１は、ステップＳ２０１において、起動すると、ステップＳ２０２において、交換局ＭＭＥとの間で、Ｓ１コネクションを確立する。
【００５１】
ステップＳ２０３において、無線基地局ＨｅＮＢ＃１が、周辺無線基地局である無線基地局ＨｅＮＢ＃２に対して、無線基地局ＨｅＮＢ＃１配下のセルのＣＳＧ-ＩＤ（＝＃３０）及びＡｃｃｅｓｓ  Ｍｏｄｅを含む「Ｘ２  ｓｅｔｕｐ  ｒｅｑｕｅｓｔメッセージ」を送信する。
【００５２】
ここで、無線基地局ＨｅＮＢ＃１は、周辺無線基地局配下のセルのＣＳＧ-ＩＤを、「Ｘ２  ｓｅｔｕｐ  ｒｅｑｕｅｓｔメッセージ」内の情報要素「Ｎｅｉｇｈｂｏｕｒ  Ｉｎｆｏｒｍａｔｉｏｎ（図６参照）」に含まれる情報要素「ＣＳＧ  ＩＤ（図６参照）」によって通知してもよい。
【００５３】
また、無線基地局ＨｅＮＢ＃１は、周辺無線基地局配下のセルのＡｃｃｅｓｓ  Ｍｏｄｅを、「Ｘ２  ｓｅｔｕｐ  ｒｅｑｕｅｓｔメッセージ」内の情報要素「Ｎｅｉｇｈｂｏｕｒ  Ｉｎｆｏｒｍａｔｉｏｎ（図６参照）」に含まれる情報要素「Ｃｅｌｌ  Ａｃｃｅｓｓ  Ｍｏｄｅ（図６参照）」によって通知してもよい。
【００５４】
ステップＳ２０４において、無線基地局ＨｅＮＢ＃２は、無線基地局ＨｅＮＢ＃１に対して、無線基地局ＨｅＮＢ＃２配下のセルのＣＳＧ-ＩＤ（＝＃２０）及びＡｃｃｅｓｓ  Ｍｏｄｅに加えて、周辺無線基地局である無線基地局ＨｅＮＢ＃３配下のセルのＣＳＧ-ＩＤ（＝＃２０）及びＡｃｃｅｓｓ  Ｍｏｄｅと周辺無線基地局である無線基地局ＨｅＮＢ＃４配下のセルのＣＳＧ-ＩＤ（＝＃２１）及びＡｃｃｅｓｓ  Ｍｏｄｅとを含む「Ｘ２  ｓｅｔｕｐ  ｒｅｓｐｏｎｓｅメッセージ」を送信する。
【００５５】
例えば、無線基地局ＨｅＮＢ＃２は、無線基地局ＨｅＮＢ＃２乃至＃４配下のセルのＣＳＧ-ＩＤを、「Ｘ２  ｓｅｔｕｐ  ｒｅｓｐｏｎｓｅメッセージ」内の情報要素「Ｎｅｉｇｈｂｏｕｒ  Ｉｎｆｏｒｍａｔｉｏｎ（図８参照）」に含まれる情報要素「ＣＳＧ  ＩＤ（図８参照）」によって通知してもよい。
【００５６】
例えば、無線基地局ＨｅＮＢ＃２は、無線基地局ＨｅＮＢ＃２乃至＃４配下のセルのＡｃｃｅｓｓ  Ｍｏｄｅを、「Ｘ２  ｓｅｔｕｐ  ｒｅｓｐｏｎｓｅメッセージ」内の情報要素「Ｎｅｉｇｈｂｏｕｒ  Ｉｎｆｏｒｍａｔｉｏｎ（図８参照）」に含まれる情報要素「Ｃｅｌｌ  Ａｃｃｅｓｓ  Ｍｏｄｅ（図８参照）」によって通知してもよい。
【００５７】
第３に、図１０を参照して、本発明の第１の実施形態に係る移動通信システムにおいて無線基地局ＨｅＮＢ＃２のＣＳＧ-ＩＤ及びＡｃｃｅｓｓ  Ｍｏｄｅの少なくとも１つが変更になる場合の動作について説明する。
【００５８】
図１０に示すように、無線基地局ＨｅＮＢ＃２のＣＳＧ-ＩＤ及びＡｃｃｅｓｓ  Ｍｏｄｅの少なくとも１つが変更になると、ステップＳ３０１において、無線基地局ＨｅＮＢ＃２は、周辺無線基地局である無線基地局ＨｅＮＢ＃１、＃３及び＃４に対して、変更後の無線基地局ＨｅＮＢ＃２配下のセルのＣＳＧ-ＩＤ（＝＃２０）及びＡｃｃｅｓｓ  Ｍｏｄｅの少なくとも一方を含む「ｅＮＢ  Ｃｏｎｆｉｇｕｒａｔｉｏｎ  Ｕｐｄａｔｅメッセージ」を送信する。
【００５９】
ここで、無線基地局ＨｅＮＢ＃２は、無線基地局ＨｅＮＢ＃２配下に新たなセルが追加された場合には、新たな追加されたセルのＣＳＧ-ＩＤを、「ｅＮＢ  Ｃｏｎｆｉｇｕｒａｔｉｏｎ  Ｕｐｄａｔｅメッセージ」内の情報要素「Ｓｅｒｖｅｄ  Ｃｅｌｌｓ  Ｔｏ  Ａｄｄ（図１１参照）」内の情報要素「ＣＳＧ  ＩＤ（図１１参照）」によって通知してもよい。
【００６０】
また、無線基地局ＨｅＮＢ＃２は、無線基地局ＨｅＮＢ＃２配下に新たなセルが追加された場合には、新たな追加されたセルのＡｃｃｅｓｓ  Ｍｏｄｅを、「ｅＮＢ  Ｃｏｎｆｉｇｕｒａｔｉｏｎ  Ｕｐｄａｔｅメッセージ」内の情報要素「Ｓｅｒｖｅｄ  Ｃｅｌｌｓ  Ｔｏ  Ａｄｄ（図１１参照）」内の情報要素「Ｃｅｌｌ  Ａｃｃｅｓｓ  Ｍｏｄｅ（図１１参照）」によって通知してもよい。
【００６１】
或いは、無線基地局ＨｅＮＢ＃２は、無線基地局ＨｅＮＢ＃２配下のセルのＣＳＧ-ＩＤが変更になった場合には、変更後の無線基地局ＨｅＮＢ＃２配下のセルのＣＳＧ-ＩＤを、「ｅＮＢ  Ｃｏｎｆｉｇｕｒａｔｉｏｎ  Ｕｐｄａｔｅメッセージ」内の情報要素「Ｓｅｒｖｅｄ  Ｃｅｌｌｓ  Ｔｏ  Ｍｏｄｉｆｙ（図１１参照）」内の情報要素「ＣＳＧ  ＩＤ（図１１参照）」によって通知してもよい。
【００６２】
また、無線基地局ＨｅＮＢ＃２は、無線基地局ＨｅＮＢ＃２配下のセルのＡｃｃｅｓｓ  Ｍｏｄｅが変更になった場合には、変更後の無線基地局ＨｅＮＢ＃２配下のセルのＡｃｃｅｓｓ  Ｍｏｄｅを、「ｅＮＢ  Ｃｏｎｆｉｇｕｒａｔｉｏｎ  Ｕｐｄａｔｅメッセージ」内の情報要素「Ｓｅｒｖｅｄ  Ｃｅｌｌｓ  Ｔｏ  Ｍｏｄｉｆｙ（図１１参照）」内の情報要素「Ｃｅｌｌ  Ａｃｃｅｓｓ  Ｍｏｄｅ（図１１参照）」によって通知してもよい。
【００６３】
ステップＳ３０２において、無線基地局ＨｅＮＢ＃１、＃３及び＃４は、ＮＲＴ管理部１３における無線基地局ＨｅＮＢ＃２のＣＳＧ-ＩＤ及びＡｃｃｅｓｓ  Ｍｏｄｅの少なくとも１つを更新し、無線基地局ＨｅＮＢ＃２に対して、「ｅＮＢ  Ｃｏｎｆｉｇｕｒａｔｉｏｎ  Ｕｐｄａｔｅ  Ａｃｋメッセージ」を送信する。
【００６４】
（本発明の第１の実施形態に係る移動通信システムの作用・効果）
本発明の第１の実施形態に係る移動通信システムによれば、各無線基地局ＨｅＮＢが、周辺無線基地局配下のセルのＣＳＧ-ＩＤ及びＡｃｃｅｓｓ  Ｍｏｄｅを取得してＮＲＴ内で管理することができるため、周辺無線基地局配下のセルのＣＳＧ-ＩＤ及びＡｃｃｅｓｓ  Ｍｏｄｅを考慮してハンドオーバの実現方法を決定することができる。
【００６５】
以上に述べた本実施形態の特徴は、以下のように表現されていてもよい。
【００６６】
本実施形態の第１の特徴は、移動通信方法であって、無線基地局ＨｅＮＢ＃１（第１無線基地局）が、無線基地局ＨｅＮＢ＃２（第２無線基地局）との間でＸ２コネクションを確立する際に、無線基地局ＨｅＮＢ＃２に対して、無線基地局ＨｅＮＢ＃１配下のセルのＣＳＧ-ＩＤ（登録グループ識別情報）及びＡｃｃｅｓｓ  Ｍｏｄｅ（アクセスモード）を通知する工程と、無線基地局ＨｅＮＢ＃２が、通知された無線基地局ＨｅＮＢ＃１配下のセルのＣＳＧ-ＩＤ及びＡｃｃｅｓｓ  Ｍｏｄｅを管理する工程と、無線基地局ＨｅＮＢ＃２が、管理している無線基地局ＨｅＮＢ＃１配下のセルのＣＳＧ-ＩＤ及びＡｃｃｅｓｓ  Ｍｏｄｅに基づいて、移動局ＵＥの無線基地局ＨｅＮＢ＃２配下のセルから無線基地局ＨｅＮＢ＃１配下のセルへのハンドオーバの実施方法を決定する工程とを有することを要旨とする。
【００６７】
本実施形態の第２の特徴は、移動通信方法であって、無線基地局ＨｅＮＢ＃１が、無線基地局ＨｅＮＢ＃１配下のセルのＣＳＧ-ＩＤ及びＡｃｃｅｓｓ  Ｍｏｄｅの少なくとも１つを変更した場合に、無線基地局ＨｅＮＢ＃２に対して、変更された無線基地局ＨｅＮＢ＃１配下のセルのＣＳＧ-ＩＤ及びＡｃｃｅｓｓ  Ｍｏｄｅの少なくとも１つを含む「ｅＮＢ  Ｃｏｎｆｉｇｕｒａｔｉｏｎ  Ｕｐｄａｔｅ（構成変更信号）」を送信する工程と、無線基地局ＨｅＮＢ＃２が、受信した「ｅＮＢ  Ｃｏｎｆｉｇｕｒａｔｉｏｎ  Ｕｐｄａｔｅ」に含まれる無線基地局ＨｅＮＢ＃１配下のセルのＣＳＧ-ＩＤ及びＡｃｃｅｓｓ  Ｍｏｄｅを管理する工程と、無線基地局ＨｅＮＢ＃２が、管理している最新の無線基地局ＨｅＮＢ＃１配下のセルのＣＳＧ-ＩＤ及びＡｃｃｅｓｓ  Ｍｏｄｅに基づいて、移動局ＵＥの無線基地局ＨｅＮＢ＃２配下のセルから無線基地局ＨｅＮＢ＃１配下のセルへのハンドオーバの実施方法を決定する工程とを有することを要旨とする。
【００６８】
本実施形態の第３の特徴は、無線基地局ＨｅＮＢであって、周辺無線基地局との間でＸ２コネクションを確立する際に、周辺無線基地局から、周辺無線基地局配下のセルのＣＳＧ-ＩＤ及びＡｃｃｅｓｓ  Ｍｏｄｅを取得するように構成されているＸ２コネクション制御部１２（取得部）と、Ｘ２コネクション制御部１２によって取得された周辺無線基地局配下のセルのＣＳＧ-ＩＤ及びＡｃｃｅｓｓ  Ｍｏｄｅを管理するように構成されているＮＲＴ管理部１３と、ＮＲＴ管理部１３によって管理されている周辺無線基地局配下のセルのＣＳＧ-ＩＤ及びＡｃｃｅｓｓ  Ｍｏｄｅに基づいて、移動局ＵＥの無線基地局ＨｅＮＢ配下のセルから周辺無線基地局配下のセルへのハンドオーバの実施方法を決定するように構成されているハンドオーバ処理部１４とを具備することを要旨とする。
【００６９】
本実施形態の第４の特徴は、無線基地局ＨｅＮＢであって、周辺無線基地局によって送信された「ｅＮＢ  Ｃｏｎｆｉｇｕｒａｔｉｏｎ  Ｕｐｄａｔｅ」に含まれる周辺無線基地局配下のセルのＣＳＧ-ＩＤ及びＡｃｃｅｓｓ  Ｍｏｄｅを取得するように構成されているＸ２コネクション制御部１２と、Ｘ２コネクション制御部１２によって取得された周辺無線基地局配下のセルの登録グループ識別情報及びアクセスモードを管理するように構成されているＮＲＴ管理部１３と、ＮＲＴ管理部１３によって管理されている周辺無線基地局配下のセルのＣＳＧ-ＩＤ及びＡｃｃｅｓｓ  Ｍｏｄｅに基づいて、移動局ＵＥの無線基地局ＨｅＮＢ配下のセルから周辺無線基地局配下のセルへのハンドオーバの実施方法を決定するように構成されているハンドオーバ処理部１４とを具備することを要旨とする。
【００７０】
本実施形態の第３及び第４の特徴において、ＮＲＴ管理部１３は、周辺無線基地局配下のセルのＣＳＧ-ＩＤが無線基地局ＨｅＮＢ配下のセルのＣＳＧ-ＩＤと同じであるか否かについて示す情報（「Ｓａｍｅ  ＣＳＧ-ＩＤ」フラグ）を管理するように構成されていてもよい。
【００７１】
本実施形態の第３及び第４の特徴において、ハンドオーバ処理部１４は、周辺無線基地局配下のセルのＣＳＧ-ＩＤと無線基地局ＨｅＮＢ配下のセルのＣＳＧ-ＩＤとが同じであり、周辺無線基地局配下のセルのＡｃｃｅｓｓ  Ｍｏｄｅが「Ｏｐｅｎ（全ての移動局ＵＥに対して差別化することなくアクセスを許容するアクセスモード）」でない場合（すなわち、「Ｃｌｏｓｅｄ」又は「Ｈｙｂｒｉｄ」である場合）、上述のハンドオーバの実施方法を「Ｘ２ハンドオーバ（無線基地局ＨｅＮＢと周辺無線基地局との間のＸ２インターフェイスを介したハンドオーバ）」とするように構成されていてもよい。
【００７２】
本実施形態の第３及び第４の特徴において、ハンドオーバ処理部１４は、周辺無線基地局配下のセルのＣＳＧ-ＩＤと無線基地局ＨｅＮＢ配下のセルのＣＳＧ-ＩＤとが異なり、周辺無線基地局配下のセルのＡｃｃｅｓｓ  Ｍｏｄｅが「Ｏｐｅｎ（全ての移動局ＵＥに対して差別化することなくアクセスを許容するアクセスモード）」でない場合（すなわち、「Ｃｌｏｓｅｄ」又は「Ｈｙｂｒｉｄ」である場合）、上述のハンドオーバの実施方法を「Ｓ１ハンドオーバ（無線基地局ＨｅＮＢと交換局ＭＭＥとの間のＳ１インターフェイス及び交換局ＭＭＥと周辺無線基地局との間のＳ１インターフェイスを介したハンドオーバ）」とするように構成されていてもよい。
【００７３】
なお、上述の無線基地局ＨｅＮＢ及び移動局ＵＥの動作は、ハードウェアによって実施されてもよいし、プロセッサによって実行されるソフトウェアモジュールによって実施されてもよいし、両者の組み合わせによって実施されてもよい。
【００７４】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００７５】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ＨｅＮＢ及び移動局ＵＥ内に設けられていてもよい。また、かかる記憶媒体及びプロセッサは、ディスクリートコンポーネントとして無線基地局ＨｅＮＢ及び移動局ＵＥ内に設けられていてもよい。
【００７６】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。従って、本明細書の記載は、例示説明を目的とするものであり、本発明に対して何ら制限的な意味を有するものではない。
【符号の説明】
【００７７】
ＨｅＮＢ…無線基地局
１１…Ｓ１コネクション制御部
１２…Ｘ２コネクション制御部
１３…ＮＲＴ管理部
１４…ハンドオーバ処理部
【図１】
2011087089.tif 000003
【図２】
2011087089.tif 000004
【図３】
2011087089.tif 000005
【図４】
2011087089.tif 000006
【図５】
2011087089.tif 000007
【図６】
2011087089.tif 000008
【図７】
2011087089.tif 000009
【図８】
2011087089.tif 000010
【図９】
2011087089.tif 000011
【図１０】
2011087089.tif 000012
【図１１】
2011087089.tif 000013
【図１２】
2011087089.tif 000014